(57)【特許請求の範囲】
【請求項１】
発泡体と、前記発泡体の表面に固形状で且つフィルム状の状態で貼り合わされた後、溶融温度以上であって且つ穴が生じない温度以下で加熱され溶融されて前記発泡体と接着されたホットメルト接着剤と、前記ホットメルト接着剤が溶融された面に貼り合せられて接着された両面テープと、をこの順に積層したことを特徴とする発泡体積層体。
【請求項２】
前記発泡体がウレタンフォームであることを特徴とする請求項１に記載の発泡体積層体。
【請求項３】
電子写真方式の画像形成装置における、帯電ローラの表面を清掃するクリーニング部材として用いることを特徴とする請求項１または請求項２に記載の発泡体積層体。
【請求項４】
発泡体の表面に固形状で且つフィルム状のホットメルト接着剤を貼り合わせるホットメルト接着剤付与工程と、
前記ホットメルト接着剤の溶融温度以上であって且つホットメルト接着剤に穴が生じない温度以下で加熱してホットメルト接着剤を溶融させ発泡体とホットメルト接着剤とを接着する加熱工程と、
発泡体にホットメルト接着剤を溶融させた積層体の、該ホットメルト接着剤が溶融された面に両面テープを貼り合せる両面テープ貼り合せ工程と、を有することを特徴とする発泡体積層体の製造方法。
【請求項５】
前記加熱工程が、発泡体側およびホットメルト接着剤側の両側から圧縮しつつ加熱する工程であり、且つ前記圧縮の際に圧縮の幅を規制するスペーサを介することを特徴とする請求項４に記載の発泡体積層体の製造方法。
【発明の詳細な説明】
【技術分野】
【０００１】
本発明は、発泡体の表面に両面テープを備えた発泡体積層体およびその製造方法に関し、特に、電子写真方式の画像形成装置における帯電ローラ用クリーニング部材等として好適に用いられる発泡体積層体およびその製造方法に関する。
【背景技術】
【０００２】
電子写真方式を用いた複写機やプリンタ等の画像形成装置の帯電装置として、近年では、オゾンの排出抑制、装置の小型化、および高圧電源コストの低減などを図るために、従来のスコロトロン等の非接触型帯電器に替えて、像保持体に接触あるいは近接配置されるローラ帯電器（ＢＣＲ）が用いられている。
【０００３】
このような接触帯電方式の帯電装置では、帯電ロールが像保持体に常時接触しているため、帯電ロール表面に異物の付着による汚れが発生しやすいという問題がある。画像形成動作を繰り返し行う像保持体の表面は、転写工程の下流側において、転写後の残留トナー等の異物除去を行うクリーニング工程を経た後、帯電工程のエリアへと進入してくるが、クリーニング工程を経てもトナーの一部やトナーの外添剤など、トナーよりも微小な粒子がクリーニングされずに像保持体上に残留し、帯電ロールの表面へと付着してしまう。帯電ロールの表面に付着した異物は、帯電ロールの表面抵抗値にムラを生じさせ、異常放電や不安定な放電となり帯電均一性を悪化させてしまう。
【０００４】
そこで、このような問題を改善するために、帯電ロールの表面に発泡体部材等で形成したクリーニング部材を接触させることにより、帯電ロール表面の汚れをクリーニングする技術が提案されている（例えば、特許文献１参照）。
【特許文献１】特開平２−２７２５９４号公報
【発明の開示】
【発明が解決しようとする課題】
【０００５】
ここで、上記のようなクリーニング部材としては、プレート状の発泡体部材も好適に用いられる。プレート状の発泡体部材をクリーニング部材として用いる場合、像保持体と接触しない側の面が固定部材に固定されるため、予め発泡体と両面テープとを積層した発泡体積層体が用いられる。
しかし、該発泡体積層体を作製する段階において発泡体と両面テープとを積層して接着する際、図１（Ａ）の矢印Ａにて示すように、発泡体２側の一部分を指等で押し付けて圧力をかけると、図１（Ｂ）に示すように、発泡体２中のセル４がつぶれて両面テープ８の接着剤により接着してしまい、その一部分にだけ凹みが生じて全体の厚みにバラツキが生じてしまう（以下、該現象を「糊沈み」と称す）との問題があることが、本発明者らの検討により判明した。
上記現象が問題となるのは、帯電ロール用のクリーニング部材として用いる場合には限られず、発泡体積層体に厚みの均一性が求められる分野において共通の問題である。
【０００６】
即ち、本発明の目的は、糊沈みの発生が良好に抑制され厚みにバラツキが無い発泡体積層体、および該発泡体積層体を良好に製造することができる発泡体積層体の製造方法を提供することにある。
【課題を解決するための手段】
【０００７】
上記目的は、以下の本発明により解決される。
即ち、請求項１に係る発明は、発泡体と、前記発泡体の表面に固形状で且つフィルム状の状態で貼り合わされた後、溶融温度以上であって且つ穴が生じない温度以下で加熱され溶融されて前記発泡体と接着されたホットメルト接着剤と、前記ホットメルト接着剤が溶融された面に貼り合せられて接着された両面テープと、をこの順に積層したことを特徴とする発泡体積層体である。
【０００８】
請求項２に係る発明は、前記発泡体がウレタンフォームであることを特徴とする請求項１に記載の発泡体積層体である。
【０００９】
請求項３に係る発明は、電子写真方式の画像形成装置における、帯電ローラの表面を清掃するクリーニング部材として用いることを特徴とする請求項１または請求項２に記載の発泡体積層体である。
【００１０】
請求項４に係る発明は、発泡体の表面に固形状で且つフィルム状のホットメルト接着剤を貼り合わせるホットメルト接着剤付与工程と、前記ホットメルト接着剤の溶融温度以上であって且つホットメルト接着剤に穴が生じない温度以下で加熱してホットメルト接着剤を溶融させ発泡体とホットメルト接着剤とを接着する加熱工程と、発泡体にホットメルト接着剤を溶融させた積層体の、該ホットメルト接着剤が溶融された面に両面テープを貼り合せる両面テープ貼り合せ工程と、を有することを特徴とする発泡体積層体の製造方法である。
【００１１】
請求項５に係る発明は、前記加熱工程が、発泡体側およびホットメルト接着剤側の両側から圧縮しつつ加熱する工程であり、且つ前記圧縮の際に圧縮の幅を規制するスペーサを介することを特徴とする請求項４に記載の発泡体積層体の製造方法である。
【発明の効果】
【００１２】
本発明によれば、糊沈みの発生が良好に抑制され厚みにバラツキが無い発泡体積層体、および該発泡体積層体を良好に製造することができる発泡体積層体の製造方法を提供することができる。
【発明を実施するための最良の形態】
【００１３】
＜発泡体積層体＞
以下、図面を用いて本発明の発泡体積層体の好ましい態様について説明する。図２は、好ましい実施形態における発泡体積層体を示す概略断面図である。
図２に示す発泡体積層体は、セル（気泡）４を有する発泡体２と、前記発泡体の表面に固形状で且つフィルム状の状態で貼り合わされた後、溶融温度以上であって且つ穴が生じない温度以下で加熱され溶融されて前記発泡体と接着されたホットメルト接着剤６と、前記ホットメルト接着剤が溶融された面に貼り合せられて接着された両面テープ８と、をこの順に積層してなる。発泡体２および両面テープ８をホットメルト接着剤６を介して積層することにより、糊沈みの現象が良好に抑制される。
【００１４】
（発泡体）
発泡体２としては、所定のセル密度で形成されたプレート状の発泡体が好ましく用いられる。材質としては、例えば、ウレタンフォーム（エーテル系ウレタンフォーム、エステル系ウレタンフォーム等）、ポリエチレンフォーム、ポリオレフィンフォーム、メラミンフォーム、マイクロポリマー等を用いることができる。これらの中でも、特にクリーニング性能、コスト面、環境面等の観点から、ウレタンフォームが好適に用いられる。
【００１５】
ここで、ウレタンフォームを例にとり、製造方法について簡単に説明すると、ポリオール、イソシアネート、水、触媒（アミン触媒、金属触媒など）および整泡剤（界面活性剤）を用いて製造され、また、用途によっては顔料などの添加剤が用いられる。これら原料を混合・攪拌すると化学反応が起き、ウレタン樹脂の発泡体を得ることができる。
【００１６】
従来においては、ウレタンフォームの膜を除いた物の発泡体２を用いる場合に前記糊沈みの現象が顕著に見られたが、前述のホットメルト接着剤６を介する構成とすることにより、上記発泡倍率の発泡体を用いた場合であっても糊沈みの現象が良好に抑制される。
【００１７】
（ホットメルト接着剤）
ホットメルト接着剤６とは、室温で固形状をなしている固形分の熱可塑性ポリマーをベースにした接着性混合物をさし、使用時には加熱溶融によって活性化して流動性を示し接着性を発現する。
該ホットメルト接着剤６としては、従来公知のものを特に制限なく用いることができる。例えば、ゴム弾性を示す熱可塑性エラストマーをベースとするゴム系ホットメルト接着剤；プロピレン、エチレン、ブテン−１をランダム共重合した非晶性のポリオレフィン樹脂をベースとするオレフィン系ホットメルト接着剤；エチレンと酢酸ビニルのランダム共重合体をベースとするＥＶＡ系ホットメルト接着剤；アクリル樹脂をベースとするアクリル系ホットメルト接着剤；反応基を分子内に持ったタイプの反応性ホットメルト接着剤；等を用いることができ、融点温度、環境面、発泡体２との接着性、加工性等の観点から任意に選定することができる。
【００１８】
また、ホットメルト接着剤６の室温時（固形状であるとき）における態様としては、接着剤自体をフィルム状に加工した態様が用いられる。
【００１９】
（両面テープ）
両面テープ８としては、基材の両面に接着剤層を有するもの、基材が無く接着剤層のみのもの等があり、本願においては従来公知のものを特に制限なく用いることができる。
【００２０】
尚、従来においては、特に上記接着剤層の性質として、粘着力、保持力、タック力を保持した両面テープ８を用いる場合に前記糊沈みの現象が顕著に見られたが、前述のホットメルト接着剤６を介する構成とすることにより、上記性質を有する両面テープ８を用いた場合であっても糊沈みの現象が良好に抑制される。
【００２１】
＜発泡体積層体の製造方法＞
次いで、上記発泡体積層体の製造方法について説明する。
発泡体積層体の製造方法は、発泡体の表面に固形状で且つフィルム状のホットメルト接着剤を貼り合わせるホットメルト接着剤付与工程と、前記ホットメルト接着剤の溶融温度以上であって且つホットメルト接着剤に穴が生じない温度以下で加熱してホットメルト接着剤を溶融させ発泡体とホットメルト接着剤とを接着する加熱工程と、発泡体にホットメルト接着剤を溶融させた積層体の、該ホットメルト接着剤が溶融された面に両面テープを貼り合せる両面テープ貼り合せ工程と、を有することを特徴とする。
【００２２】
ここで、図面を用いて本発明の発泡体積層体の製造方法の好ましい態様について説明する。図３は、好ましい実施形態における発泡体積層体の製造方法の手順を示す概略図である。
【００２３】
（ホットメルト接着剤付与工程）
図３に示す本実施形態における発泡体積層体の製造方法では、発泡体としてプレート状の発泡体２を用い、またホットメルト接着剤としてシート形状のホットメルト接着剤６を用いる。図３（Ａ）に示すように、プレート状の発泡体２の片面に対し、シート形状のホットメルト接着剤６をはみ出さないように貼り合せ（付与し）、図３（Ｂ）に示すように積層する。
次の加熱工程にて、ホットプレス機の加熱圧縮部材６０Ａおよび６０Ｂとホットメルト接着剤６との接着を防止する為、ホットメルト接着剤６上側および発泡体２下側に、テフロン(登録商標)シート１６にて挟む（図３（Ｃ）および図３（Ｄ）参照）。
【００２４】
（加熱工程）
次いで、発泡体２、ホットメルト接着剤６を積層した積層体を、図３（Ｅ）に示すように、加熱圧縮部材６０Ａ、６０Ｂを備えるホットプレス機の下側の加熱圧縮部材６０Ｂ上に設置する。その後、上側の加熱圧縮部材６０Ａを下ろして加熱圧縮を施し、ホットメルト接着剤６を溶融して、発泡体２とホットメルト接着剤６とを接着する。
【００２５】
尚、上記ホットプレス機のように、発泡体２側およびホットメルト接着剤６側の両側から圧縮しつつ加熱する場合には、図４（Ａ）および図４（Ｂ）に示すごとく、積層体の周囲に圧縮の幅（上記ホットプレス機であれば加熱圧縮部材６０Ａと６０Ｂとの距離）を規制するスペーサ６２を配置したうえで加熱圧縮を施すことが好ましい。該スペーサ６２は、発泡体２が圧縮され過ぎることを抑制する目的で用いられるものであり、スペーサ６２の使用により糊沈みの現象をより良好に抑制することができる。
上記スペーサ６２の厚さは、求められる製品の厚みに応じて設定することが好ましい。
【００２６】
また、加熱工程における加熱温度は、ホットメルト接着剤６の溶融温度以上であって、ホットメルト接着剤６に穴が生じない温度以下である。加熱温度は用いるホットメルト接着剤６によっても異なるが、１２５℃以上１３５℃以下であることが好ましく、１２７℃以上１３３℃以下であることがより好ましい。
また、加熱時間に関しても、用いるホットメルト接着剤６によって異なるが、２秒以上３０秒以下であることが好ましく、５秒以上１５秒以下であることがより好ましい。
【００２７】
更に、上記ホットプレス機のように、発泡体２側およびホットメルト接着剤６側の両側から圧縮しつつ加熱する場合におけるプレス圧力に関しては、上記スペーサ６２を使用する場合であれば、加熱圧縮用の部材（上記ホットプレス機であれば加熱圧縮部材６０Ａ、６０Ｂ）によってスペーサ６２が挟持される圧力以上であれば、特に制限されない。
【００２８】
（両面テープ貼り合せ工程）
次いで上下のテフロン(登録商標)シート１６を除去した後、図３（Ｆ）に示すように、プレート状の発泡体２のホットメルト接着剤６が貼り合わされた面に、両面テープ８を貼り合せ、図３（Ｇ）に示すように積層する。
【００２９】
本発明に係る発泡体積層体は、発泡体の厚みの均一性が求められる分野において特に好適に用いられる。具体的には、電子写真方式の画像形成装置において、帯電ロール用のクリーニング部材、像保持体ドラム用のクリーニング部材、定着ロール用のクリーニング部材等として用いられる。
また、電子写真方式の画像形成装置以外の分野としては、電子機器類のクリーニング部材、例えば、コピー機におけるクリーニング部材や、プリンターにおけるクリーニング部材（レーザープリンターにおけるクリーニング部材、インクジェットプリンターのインクジェット記録ヘッドにおけるインク吐出部分をクリーニングする部材等）等として用いられる。
【００３０】
上記の中でも、特に好ましい態様である、電子写真方式の画像形成装置における帯電ロール用のクリーニング部材として本発明に係る発泡体積層体を用いた実施形態について、以下、図面を参照して説明する。
【００３１】
＜画像形成装置＞
図５に示す本実施形態の画像形成装置１０は、４連タンデム方式のカラー複写機であり、図示のように、イエロー（Ｙ）、マゼンタ（Ｍ）、シアン（Ｃ）、ブラック（Ｋ）の各色のトナー像を形成する画像形成ユニット１１（１１Ｙ，１１Ｍ，１１Ｃ，１１Ｋ）が中間転写ベルト３０の移動方向に沿って並設されている。
【００３２】
画像形成ユニット１１には、像保持体としての感光体ドラム１２（１２Ｙ，１２Ｍ，１２Ｃ，１２Ｋ）が設けられており、この感光体ドラム１２は、例えば、表面にＯＰＣ等からなる感光体層が被覆された導電性円筒体が用いられ、図示しないモータにより、図中の矢印方向（右回転方向）へ所定のプロセススピードで回転駆動される。
【００３３】
感光体ドラム１２のほぼ真上には、感光体ドラム１２の表面を帯電する帯電ロール（接触帯電器）１４（１４Ｙ，１４Ｍ，１４Ｃ，１４Ｋ）を備えた帯電装置が配置され、さらに感光体ドラム１２の上方には、帯電装置により帯電された感光体ドラム１２の表面にレーザ光Ｌを照射し静電潜像を形成する露光装置１３（１３Ｙ，１３Ｍ，１３Ｃ，１３Ｋ）が配設されている。
【００３４】
感光体ドラム１２の右側方には、現像装置１５（１５Ｙ，１５Ｍ，１５Ｃ，１５Ｋ）が隣接配置されており、現像装置１５には、感光体ドラム１２上に形成された静電潜像をＹ，Ｍ，Ｃ，Ｋの各色のトナー像に現像する現像ロール１６（１６Ｙ，１６Ｍ，１６Ｃ，１６Ｋ）が設けられている。
【００３５】
感光体ドラム１２の下方には、現像装置１５によって可視化されたトナー像が転写される無端状の中間転写ベルト３０が配設されており、さらに中間転写ベルト３０を挟んで一次転写ロール１８（１８Ｙ，１８Ｍ，１８Ｃ，１８Ｋ）が対向配置されている。この感光体ドラム１２と中間転写ベルト３０の各接触部が一次転写部Ｔ１とされ、一次転写ロール１８には正極性の一次転写バイアスが印加される。
【００３６】
感光体ドラム１２の左側方には、一次転写後に感光体ドラム１２上に残留する転写残トナーを除去する感光体クリーナとしてのクリーニング装置が隣接配置されており、クリーニング装置には、感光体ドラム１２の外周面に圧接して感光体ドラム１２の回転方向と反対方向に回転駆動し感光体ドラム１２から転写残トナーを擦り取るブラシロール２０（２０Ｙ，２０Ｍ，２０Ｃ，２０Ｋ）が設けられている。
【００３７】
中間転写ベルト３０は、駆動ロール３２、張架ロール３３、および二次転写バックアップロール３４に巻き掛けられており、感光体ドラム１２の回転に同期して同方向に回転移動する。また、上記の画像形成ユニット１１Ｙ，１１Ｍ，１１Ｃ，１１Ｋは、中間転写ベルト３０の移動方向に対し、その順番で直列に配列されている。これにより、中間転写ベルト３０は、各一次転写部Ｔ１で一次転写ロール１８により感光体ドラム１２上のトナー像がイエロー、マゼンタ、シアン、ブラックの順に重ねて一次転写され、この一次転写されたトナー像を下記の二次転写部Ｔ２（二次転写ロール３６）に向けて搬送する。
【００３８】
中間転写ベルト３０の右側方には、用紙搬送路４０を挟んで二次転写ロール３６が対向配置されている。この二次転写ロール３６と中間転写ベルト３０の接触部が二次転写部Ｔ２とされ、二次転写ロール３６には負極性の二次転写バイアスが印加される。これにより、二次転写ロール３６は、二次転写バックアップロール３４に補助され、中間転写ベルト３０に一次転写されたトナー像を二次転写部Ｔ２で用紙Ｐに二次転写する。また、中間転写ベルト３０を回転支持する二次転写バックアップロール３４の右上方には、二次転写後に中間転写ベルト３０上に残留する転写残トナーを除去する中間転写ベルトクリーナ３８が設けられている。
【００３９】
中間転写ベルト３０の下方には、用紙Ｐが収納される給紙トレイ４２が配置され、給紙トレイ４２の右側近傍には、給紙トレイ４２から用紙Ｐを用紙搬送路４０に送り出すフィードロール４４、および、送り出される用紙Ｐを１枚ずつ捌くリタードロール４６が設けられている。
【００４０】
また、用紙搬送路４０における二次転写部Ｔ２よりも下流側には、対向する加熱ロール５２および加圧ロール５４を備えた定着装置５０が配置され、定着装置５０の下流側には一対の排出ロール５６が設けられている。そして用紙搬送路４０は、フィードロール４４およびリタードロール４６から二次転写部Ｔ２、および定着装置５０を経由して、排出ロール５６まで延設されている。
【００４１】
次に、上記構成の画像形成装置１０に搭載された帯電ロール１４と、帯電ロール１４をクリーニングするクリーニング部材について詳細に説明する。
【００４２】
図６に示すように、感光体ドラム１２の上方部には、感光体ドラム１２と接触するように帯電ロール１４が配置されている。この帯電ロール１４は、導電性のシャフト１４Ａの周囲に帯電層１４Ｂが形成されたものであり、シャフト１４Ａが回転可能に支持されている。感光体ドラム１２は、図示しないモータによって図６の矢印Ａ方向（時計回転方向）に回転駆動され、感光体ドラム１２の回転により帯電ロール１４が矢印Ｂ方向（反時計回転方向）に従動回転する。
【００４３】
帯電ロール１４の右上部には、帯電ロール１４の表面に接触するシート状のクリーニング部材（本発明に係る発泡体積層体）１００が設けられている。クリーニング部材１００は帯電ロール１４に所定の荷重で押圧され、発泡体２が帯電ロール１４の周面に沿って弾性変形してニップ部１０１を形成している。
【００４４】
次に、本実施形態の画像形成装置１０によるカラー画像形成動作ついて説明する。
【００４５】
画像形成装置１０に画像形成信号が入力され、感光体ドラム１２が回転駆動すると、感光体ドラム１２の回転に伴って帯電ロール１４が従動回転し、感光体ドラム１２の表面（外周面）が帯電ロール１４により一様に帯電される。続いて感光体ドラム１２の表面には、画像形成信号に基づいて露光装置１３からレーザ光Ｌが照射される。このレーザ光Ｌにより、感光体ドラム１２の表面が露光され、静電潜像が形成される。
【００４６】
感光体ドラム１２上に形成された静電潜像は、現像装置１５の現像ロール１６によってイエロー、マゼンタ、シアン、ブラックの各色のトナー像を現像され、一次転写部Ｔ１で中間転写ベルト３０に重ねて一次転写される。また、一次転写後に感光体ドラム１２上に残留する転写残トナーは、クリーニング装置のブラシロール２０によって擦り取られ除去される。
【００４７】
一方、給紙トレイ４２に収納された用紙Ｐは、フィードロール４４により送り出され、リタードロール４６により捌かれて最上部の用紙Ｐのみが用紙搬送路４０に導かれ、所定のタイミングで二次転写ロール３６と二次転写バックアップロール３４との間、すなわち二次転写部Ｔ２に送り込まれる。この二次転写部Ｔ２で、中間転写ベルト３０に一次転写されているトナー像が用紙Ｐに二次転写される。トナー像が転写された用紙Ｐは、用紙搬送路４０を下流側に搬送されて定着装置５０に導かれ、加熱ロール５２と加圧ロール５４とによる熱圧力によってトナー像が定着される。そしてこのトナー像の定着により画像形成された用紙Ｐは、排出ロール５６により図示しない排紙トレイへ排出される。
【００４８】
また、二次転写後に中間転写ベルト３０の画像領域に残留した転写残トナーは、中間転写ベルトクリーナ３８によって擦り取られ除去される。さらに、上記の帯電ロール１４の表面に付着したトナーや外添剤などの汚れ（異物）はクリーニング部材１００によってクリーニングされる。以上の動作により、画像形成装置１０によって用紙Ｐにカラー画像が形成される。
【００４９】
尚、本実施形態の画像形成装置１０では、上記クリーニング部材１００として、発泡体の厚みにバラツキが無い本発明に係る発泡体積層体を用いていることから、優れたクリーニング性能が得られる。
【実施例】
【００５０】
以下、実施例を用いて本発明をより詳細に説明する。
・発泡体：エーテル系ウレタンフォーム
（ブリヂストン化成品東京(株)社製、商品名：ＥＡ−Ｘ５０、
厚み３．９ｍｍ、縦長さ１０００ｍｍ、横長さ４００ｍｍ、）
・ホットメルト接着剤（ノガワケミカル(株)製、ダイアボンドＴＰ６６００、
厚み０．０５ｍｍ、縦長さ９５０ｍｍ、横長さ３８０ｍｍ、）
・両面テープ（(株)ブリヂストン製、Ｔ７１１（ＰＥＴ基材）、
厚み０．１１ｍｍ、縦長さ９２０ｍｍ、横長さ３６０ｍｍ、）
まず、上記発泡体の片面に、上記ホットメルト接着剤をはみ出さないように貼り合せて積層した（ホットメルト接着剤付与工程）。
次に、前記発泡体とホットメルト接着剤との積層材を挟み込むように、テフロン(登録商標)シートを積層した。
ホットプレス機を用い、またスペーサとして金属素材の角柱型のスペーサ（厚み２〜３ｍｍ）を２つ準備した。上記スペーサに挟まれるようにして、ホットプレス機上に前記ホットメルト接着剤付与工程を経た積層体を設置し、下記表１に記載の温度および時間にて加熱圧縮を施してホットメルト接着剤を溶融させ、発泡体とホットメルト接着剤とを接着した（加熱工程）。次いで、ホットメルト接着剤が溶融された側の面に、上記両面テープをはみ出さないように貼り合せて積層し、更に圧力を掛けて圧着し（両面テープ貼り合せ工程）、発泡体積層体を形成した。
【００５１】
〔評価：接着強度および表面バラツキ〕
得られた発泡体積層体に関し、以下の基準により評価した。
○：発泡体とホットメルト接着剤との接着強度が材料破壊を起こす事（即ち、発泡体とホットメルト接着剤との接着界面にて剥がした際に層間剥離が発生しない事）。
また、加熱工程後両面テープ貼り合せ工程前におけるホットメルト接着剤に、微小な穴が観察されない事。
△：発泡体とホットメルト接着剤との接着強度が材料破壊を起こす事。
また、加熱工程後両面テープ貼り合せ工程前におけるホットメルト接着剤に、微小な穴が観察される事（但し、最終的に得られる発泡体積層体において厚みにバラツキが発生するレベルの穴ではない事）。
×：発泡体とホットメルト接着剤との接着強度が材料破壊を起こさない事（即ち、発泡体とホットメルト接着剤との接着界面にて剥がした際に層間剥離が発生する事）。
【００５２】
【表１】
0005535449.tif 000002
【００５３】
［実施例１］
上記表１に記載のものの内「１３０℃、１０秒」の加熱圧縮を施した発泡体積層体を用いた。
【００５４】
［比較例１］
上記実施例１において、ホットメルト接着剤を用いず、加熱圧縮を施さずに発泡体と両面テープとを直接張り合せたこと以外、同様にして発泡体積層体を形成した。
【００５５】
〔評価：糊沈み〕
上記実施例１および比較例１の発泡体積層体において、両面テープ圧着作業前の厚み(A)と、両面テープ圧着作業後の厚み(B)と、を測定した。
具体的には、上記［実施例１］の発泡体積層体においては、まずホットメルト接着剤付与工程および加熱工程を経た後、両面テープ貼り合せ工程において、「両面テープを貼り合せて積層」する作業（両面テープ積層作業）を施した後であって、「圧力を掛けて圧着」する作業（両面テープ圧着作業）を施す前の積層体の厚み(A)を測定した。次いで、「圧力を掛けて圧着」する作業（両面テープ圧着作業）を施した後、その積層体の厚み(B)を測定した。
また、上記［比較例１］の発泡体積層体においては、発泡体（エーテル系ウレタンフォーム）上に直接「両面テープを貼り合せて積層」する作業（両面テープ積層作業）を施した後であって、「圧力を掛けて圧着」する作業（両面テープ圧着作業）を施す前の積層体の厚み(A)を測定した。次いで、「圧力を掛けて圧着」する作業（両面テープ圧着作業）を施した後、その積層体の厚み(B)を測定した。
【００５６】
尚、測定箇所としては、
・積層体の全ての材料が積層されている領域内において、四隅から各々５０ｍｍ中央寄りの箇所（測定箇所(1)〜(4)）
・積層体の全ての材料が積層されている領域内において、長辺方向の中央部であって、短辺方向の両端から各々５０ｍｍ中央寄りの箇所（測定箇所(5)〜(6)）
の計６箇所について、両面テープ圧着作業前後における厚みを測定した。結果を下記表２に示す。
【００５７】
【表２】
0005535449.tif 000003
【００５８】
実施例１と比較例１とでは、「作業前後の平均値の差」において０．５８ｍｍの差が発生しており、これは発泡体と両面テープとの間にホットメルト接着剤を積層することによって糊沈みが抑制されたためと推察される。
また、比較例１における「作業後の最大値と最小値の差」が０．１５ｍｍであるのに対し、実施例１における当該差が０．０５ｍｍであり、厚みのバラツキが抑制されていることが分かる。
【００５９】
〔評価：クリーニング性能〕
上記実施例１の発泡体積層体を用いて画像形成を行った。
画像形成装置の帯電ロール用クリーニング部材として上記発泡体積層体を適用し、サンプルプリントを行った後に、帯電ローラ表面を観察した。表面は良好に清掃されており、クリーニング性能に優れていることが確認された。
【００６０】
一方、上記比較例１の発泡体積層体を用いて画像形成を行った。上記実施例１と同様にしてクリーニング性能の評価を実施したところ、厚みのバラツキにより、クリーニングムラが発生する状態であった。
【図面の簡単な説明】
【００６１】
【図１】（Ａ）は従来の発泡体積層体の構成を示す概略断面図であり、（Ｂ）は従来の発泡体積層体に圧力を加えた際に生じる糊沈みの現象を示す説明図である。
【図２】本発明の実施形態に係る発泡体積層体を示す概略断面図である。
【図３】（Ａ）〜（Ｇ）は本発明の実施形態における発泡体積層体の製造方法の手順を示す概略図である。
【図４】（Ａ）はスペーサに挟持されるように積層体を設置した様子を示す上面図であり、（Ｂ）は（Ａ）の側面図である。
【図５】好ましい一実施形態に係る画像形成装置の概略構成を示す構成図である。
【図６】図１の画像形成装置に搭載された感光体ドラム、帯電ロール、およびクリーニング部材の構成を示す拡大図である。
【符号の説明】
【００６２】
２  発泡体
４  セル
６  ホットメルト接着剤
８  両面テープ
１０  画像形成装置
１２  感光体ドラム（像保持体）
１４  帯電ロール
１６  テフロン(登録商標)シート
６０Ａ，６０Ｂ  加熱圧縮部材
６２  スペーサ
１００  クリーニング部材
【図１】
0005535449.tif 000004
【図２】
0005535449.tif 000005
【図３】
0005535449.tif 000006
【図４】
0005535449.tif 000007
【図５】
0005535449.tif 000008
【図６】
0005535449.tif 000009